(57)【特許請求の範囲】
【請求項１】
アンテナと、反射部材を備えるアンテナ装置であって、
前記反射部材は、１８０度以下の接続角度で接続されている、平面形状の第１および第２の反射面を有し、
前記アンテナは、少なくとも一つの方向に平行に伝播する電波と、前記少なくとも一つの方向に平行に伝播する電波が前記第１の反射面と前記第２の反射面それぞれで反射した後の二次反射波を受信し、前記少なくとも一つの方向に平行に伝播する電波が前記第１の反射面あるいは前記第２の反射面の一方の反射面で反射した後の一次反射波を受信しないように配置されていることを特徴とするアンテナ装置。
【請求項２】
請求項１に記載のアンテナ装置であって、前記アンテナは、前記少なくとも一つの方向に平行に伝播する電波を受信した時の受信電波の位相角度と、前記少なくとも一つの方向に平行に伝播する電波が前記第１の反射面と前記第２の反射面それぞれで反射した後の二次反射波を受信した時の受信電波の位相角度との位相角度差が［π／２］以内となるように配置されていることを特徴とするアンテナ装置。
【請求項３】
アンテナと反射部材を備えるアンテナ装置であって、
前記反射部材は、１８０度以下の接続角度で接続されている、平面形状の第１および第２の反射面を有し、
前記アンテナは、前記アンテナから送信された電波が前記第１の反射面と前記第２の反射面それぞれで反射した後の二次反射波のうちの少なくとも一つの二次反射波の伝播方向が、前記アンテナから電波を送信可能な方向のうちの少なくとも一つの方向と平行になり、また、前記アンテナに対して前記少なくとも一つの方向に位置する受信部材が、前記アンテナから送信された電波が前記第１の反射面あるいは前記第２の反射面の一方の反射面で反射した後の一次反射波を受信しないように配置されていることを特徴とするアンテナ装置。
【請求項４】
請求項１〜３のいずれかに記載のアンテナ装置であって、前記アンテナは、前記アンテナから前記少なくとも一つの方向に平行に引いた線が前記第１の反射面あるいは前記第２の反射面の一方の反射面と交差するように配置されていることを特徴とするアンテナ装置。
【請求項５】
請求項１〜４のいずれかに記載のアンテナ装置であって、前記アンテナは、前記アンテナから前記第１の反射面に直角に引いた線が前記第１の反射面と交差しないとともに、前記アンテナから前記第２の反射面に直角に引いた線が前記第２の反射面と交差しないように配置されていることを特徴とするアンテナ装置。
【請求項６】
請求項１〜５のいずれかに記載のアンテナ装置であって、前記第１の反射面と前記第２の反射面は、９０°の接続角度で接続されていることを特徴とするアンテナ装置。
【請求項７】
処理回路と、記憶回路と、送信回路、受信回路および送受信回路のうちの少なくとも１つと、アンテナ装置を備える非接触型情報記憶装置であって、前記アンテナ装置として請求項１〜６のいずれかに記載のアンテナ装置を用いていることを特徴とする非接触型情報記憶装置。
【請求項８】
請求項７に記載の非接触型情報記憶装置であって、前記処理回路と、前記記憶回路と、前記送信回路、前記受信回路および前記送受信回路のうちの少なくとも１つと、前記アンテナ装置を構成するアンテナは、一体成形されており、当該一体成形された成形体に、前記アンテナ装置を構成する反射部材が取り付けられていることを特徴とする非接触型情報記憶装置。
【発明の詳細な説明】
【技術分野】
【０００１】
本発明は電波を送信あるいは受信するアンテナ装置に関し、特に、非接触型情報記憶装置に好適に用いることができるアンテナ装置に関する。
【背景技術】
【０００２】
近年、物品の管理や人の入退出管理等に、電波を用いて非接触で情報を読み取ることができる非接触型ＩＣタグ（「ＲＦＩＤタグ」、「ＩＣタグ」等と呼ばれこともある）が用いられている。この非接触型ＩＣタグは、処理回路（ＣＰＵ）と、記憶回路と、送受信回路と、アンテナが一体に成形されている。非接触型ＩＣタグは、ラベル形状、タグ形状、カード形状等の種々の形状に形成可能である。非接触型ＩＣタグの処理回路は、アンテナで受信した電波に送信要求情報が含まれている場合には、記憶回路に書き込まれている情報（例えば、物品や人を識別する識別情報）を含む電波をアンテナから送信する。これにより、非接触型情報読取装置は、非接触型ＩＣタグの記憶回路に書き込まれている情報を非接触で読み取ることができる。
非接触型ＩＣタグの記憶回路に書き込まれている情報を読み取ることができる距離（通信可能距離）は、非接触型ＩＣタグの後方（非接触型情報読取装置と反対側）に存在する物体（人体や金属）の影響によって短くなる。そこで、非接触ＩＣタグの後方に存在する物体によって通信可能距離が短くなるのを防止するために、非接触型ＩＣタグのアンテナの後方（非接触型ＩＣタグのアンテナと物体との間）に反射部材を設け、非接触型情報読取装置から送信された電波を反射部材で反射させた後の反射波をアンテナに集中させる技術を用いることが特許文献１に開示されている。
【特許文献１】特開２００５−１２８９０６号公報
【発明の開示】
【発明が解決しようとする課題】
【０００３】
特許文献１に記載されている非接触型ＩＣタグが、非接触型情報読取装置から送信された電波を受信する状態を図１９に示す。なお、一般的に、送信部材（送信アンテナ）から送信された電波は受信部材（受信暗転）にほぼ平行に入射するものとみなすことができる。図１９では、ｙ軸方向に平行に伝播する電波Ｒ１、Ｒ２を例示的に示している。
図１９に示すように、非接触型ＩＣタグのアンテナは、反射部材で反射していない電波（直接波）Ｒ１と、電波Ｒ２が反射部材で１回反射した後の反射波（一次反射波）Ｒ２ａを受信し、直接波Ｒ１と一次反射波Ｒ２ａを合成する。
直接波Ｒ１と一次反射波Ｒ２ａを合成した合成波の波高値（受信レベル）は、アンテナで直接波Ｒ１を受信した時の受信電波の位相とアンテナで一次反射波Ｒ２ａを受信した時の受信電波の位相との位相差に対応する。アンテナで直接波Ｒ１を受信した時の受信電波の位相は、直接波Ｒ１の伝播距離（非接触型情報読取装置のアンテナから非接触型ＩＣタグのアンテナまでの伝播距離）に対応する。また、アンテナで一次反射波Ｒ２ａを受信した時の受信電波の位相は、一次反射波Ｒ２ａの伝播距離（非接触型情報読取装置のアンテナから反射部材を介する非接触型ＩＣタグのアンテナまでの伝播距離）に対応する位相差と、反射部材での反射による位相差の和である。一般的に、反射部材での反射による位相差（入射波と反射波の位相差）は、１８０°である。
ここで、１８５°の位相差を有する２つの電波を合成した合成波の波高値を図２０に示す。図２０において、破線は、第１の電波［ｓｉｎ（ｘ）］の波高値を示し、一点鎖線は、第１の電波と１８５°の位相差を有する第２の電波［ｓｉｎ（ｘ−１８５°）］の波高値を示し、実線は、合成波［ｓｉｎ（ｘ）＋ｓｉｎ（ｘ−１８５°）］の波高値を示している。図２０に示されているように、１８０°に近い位相差を有する２つの電波を合成した合成波の波高値は非常に小さい。
非接触型ＩＣタグのアンテナで直接波Ｒ１と一次反射波Ｒ２ａを受信する場合、アンテナで受信した直接波Ｒ１と一次反射波Ｒ２ａを合成した合成波の波高値が小さいと、非接触型ＩＣタグの記憶回路に書き込まれている情報を読み取ることができる距離（通信可能距離）が短くなる。このため、従来では、アンテナでの合成波の波高値（受信レベル）を高くして通信可能距離を長くするために、アンテナで受信する直接波Ｒ１の伝播距離と一次反射波Ｒ２ａの伝播距離との伝播距離差に対応する位相差、すなわち、アンテナと反射部材との間の距離を調整している。このように、アンテナと反射部材との間の距離を調整する手法を用いる場合、アンテナと反射部材との間の距離が［λ／４］（λ：非接触型情報読取装置から送信される電波の波長）付近では大きいが、［λ／４］以下になると小さくなる。したがって、従来の技術では、アンテナと反射部材との間の距離を短縮するのに限界がある。また、アンテナと反射部材との間の距離の短縮化に限界があるため、非接触型ＩＣタグの小型化にも限界がある。特に、波長が長い電波を使用する場合には、アンテナと反射部材との間の距離の短縮化が要望される。
本発明は、このような点に鑑みて創案されたものであり、アンテナと反射部材との間の距離を短縮しながら通信可能距離を長くすることができるアンテナ装置を提供し、また、小型化が可能で通信可能距離が長い非接触型情報記憶装置を提供することを目的とする。
【課題を解決するための手段】
【０００４】
本発明の第１発明は、請求項１に記載された構成を備えるアンテナ装置である。
本発明は、アンテナと反射部材を備えている。アンテナとしては、公知の種々の構成のアンテナを用いることができる。
反射部材は、平面形状に形成された第１の反射面と第２の反射面を有している。第１の反射面と第２の反射面は、１８０°以下の接続角度で接続されている。第１および第２の反射面は、電波を反射可能な種々の材料によって形成することができる。例えば、銀、アルミニウム、銅等の金属で形成された部材の表面を第１および第２の反射面として用いることができる。あるいは、樹脂等で形成された部材の表面に銀、アルミニウム、銅等の金属被膜を形成し、金属被膜の表面を第１および第２の反射面として用いることができる。金属性の部材や樹脂性の部材等の形状は適宜選択可能であるが、好適には板状に形成される。
「平面形状に形成された反射面」は、部材の加工精度や被膜成形精度等によって定まる面粗度を有する平面に形成された反射面を意味する。「第１の反射面と第２の反射面が１８０°以下の接続角度で接続されている」構成は、典型的には、第１の反射面と第２の反射面との接続部が直線（略直線を含む）であり、接続部を中心とする第１の反射面と第２の反射面の角度が１８０°以下である構成が対応する。
そして、アンテナは、当該アンテナで電波を受信可能な方向のうちの少なくとも一つの方向に平行に電波が伝播する時に、第１の反射面あるいは第２の反射面で反射していない電波（直接波）と、第１の反射面と第２の反射面それぞれで反射した後の二次反射波を受信し、第１の反射面あるいは第２の反射面の一方の反射面で反射した後の一次反射波を受信しないように配置されている。アンテナが直接波と二次反射波を受信し、一次反射波を受信しないようにアンテナを配置する配置態様としては、典型的には、反射部材に対するアンテナの配置状態（配置位置や配置方向）を設定する態様が用いられる。反射部材に対するアンテナの配置状態は、主に、第１の反射面と第２の反射面の大きさ、第１の反射面と第２の反射面の接続角度によって決定される。「一次反射波」は、１回反射した後の反射波を意味し、「二次反射波」は、２回反射した後の反射波を意味する。
「アンテナで電波を受信可能な方向のうちの少なくとも一つの方向」は、アンテナに対する相対的な方向を表している。このため、「アンテナで電波を受信可能な方向のうちの少なくとも一つの方向に電波が伝播する時」は、例えば、電波を送信する送信部材（送信アンテナ）に対するアンテナ（アンテナ装置）の配置状態（配置位置や配置角度）あるいはアンテナ（アンテナ装置）に対する送信部材（送信アンテナ）の配置状態（配置位置や配置角度）が所定の状態となった時が対応する。なお、伝播方向が異なる複数の電波を受信可能なアンテナを用いる場合には、アンテナを反射部材に対して配置した状態において、複数の伝播方向に対して、アンテナが直接波と二次反射波を受信することが可能である。
電波が第１の反射面と第２の反射面それぞれで反射することにより発生する位相差は、第１の反射面での反射により発生する位相差と第２の反射面での反射により発生する位相差の和（＝１８０°＋１８０°＝３６０°）である。このため、アンテナで、第１の反射面あるいは第２の反射面で反射していない電波（直接波）と、第１の反射面と第２の反射面それぞれで反射した後の二次反射波を受信する場合には、アンテナで受信した直接波と二次反射波の位相差は、送信部材（送信アンテナ）から第１の反射面と第２の反射面を介さないアンテナまでの伝播距離と、送信部材（送信アンテナ）から第１の反射面と第２の反射面を介するアンテナまでの伝播距離との伝播距離差に対応する。伝播距離差に対応する位相差は、伝播距離差が小さいほど（アンテナと反射部材との間の距離が短いほど）小さくなる。したがって、アンテナと反射部材を近くに配置するほど、アンテナで受信した直接波と二次反射波の位相差（波形のずれ）が小さくなって、アンテナで受信した直接波と二次反射波を合成した合成波の波高値（受信レベル）が大きくなり、通信可能距離が長くなる。なお、アンテナで受信した直接波と、当該直接波と位相が［３６０°±伝播距離差に対応する位相差］異なる二次反射波を合成した合成波からでも、十分な検出精度で情報を検出（復調）することができる。
【０００５】
本発明では、アンテナで電波を受信可能な方向のうちの少なくとも一つの方向に平行に電波が伝播する時に、アンテナは、第１の反射面あるいは第２の反射面で反射していない電波（直接波）と、第１の反射面と第２の反射面それぞれで反射した後の二次反射波を受信し、第１の反射面あるいは第２の反射面で反射した後の一次反射波を受信しない。このように、直接波と、２回の反射によって直接波と３６０°の位相差を有する二次反射波をアンテナで受信し、１回の反射によって直接波と１８０°の位相差を有する一次反射波をアンテナで受信しないため、アンテナで合成される合成波の波高値（受信レベル）を大きくすることができる。しかも、合成波の波高値（受信レベル）は、アンテナと反射部材との間の距離が短いほど大きくなる。したがって、アンテナと反射部材との間の距離を短縮しながら、通信可能距離を長くすることができる。また、アンテナと反射部材との間の距離の短縮化によって、アンテナ装置の小型化も可能となる。
本発明は、電波を受信する受信アンテナ装置として好適に用いることができる。
【０００６】
本発明の第２発明は、請求項２に記載された構成を備えるアンテナ装置である。
本発明では、アンテナは、少なくとも一つの方向に平行に伝播する電波（直接波）を受信した時の受信電波の位相角度と、少なくとも一つの方向に平行に伝播する電波が第１の反射面と第２の反射面それぞれで反射した後の二次反射波を受信した時の受信電波の位相角度との位相角度差が［π／２］以内となるように配置されている。アンテナで直接波を受信した時の受信電波の位相とアンテナで二次反射波を受信した時の受信電波の位相との位相差が［π／２］以内となるようにアンテナを配置する配置態様としては、典型的には、反射部材に対するアンテナの配置状態（配置位置や配置方向）を設定する態様が用いられる。
なお、アンテナで直接波を受信した時の受信電波の位相とアンテナで二次反射波を受信した時の受信電波の位相との位相角度差が［π／２］以内であることは、アンテナで受信した直接波の伝播経路の距離とアンテナで受信した二次反射波の伝播経路の距離との伝播距離差が［λ／４］（λ：電波の波長）以内であることと等価である。したがって、アンテナで直接波を受信した時の受信電波の位相とアンテナで二次反射波を受信した時の受信電波の位相との位相角度差が［π／２］以内となるようにアンテナを配置する構成には、アンテナで受信した直接波の伝播経路の距離とアンテナで受信した二次反射波の伝播経路の距離との伝播距離差が［λ／４］以内となるようにアンテナを配置する構成が包含される。
本発明では、アンテナで受信される直接波の伝播経路の距離とアンテナで受信される二次反射波の伝播経路の距離との伝播距離差に対応する位相角度差の増加、すなわち、アンテナで合成された合成波の波高値の低減を抑制することができる。これにより、アンテナで二次反射波を受信することによって通信可能距離を長くする効果を有効に利用することができる。
【０００７】
本発明の第３発明は、請求項３に記載された構成を備えるアンテナ装置である。
本発明は、アンテナと反射部材を備えている。アンテナとしては、公知の種々の構成のアンテナを用いることができる。
反射部材は、平面形状に形成された第１の反射面と第２の反射面を有している。第１の反射面と第２の反射面は、１８０°以下の接続角度で接続されている。第１および第２の反射面は、前記した方法で形成することができる。
そして、アンテナは、アンテナから送信された電波が第１の反射面と第２の反射面それぞれで反射した後の二次反射波のうちの少なくとも一つの二次反射波の伝播方向が、アンテナから電波を送信可能な方向のうちの少なくとも一つの方向と平行になり、また、アンテナに対して当該少なくとも一つの方向に位置する受信部材が、アンテナから送信された電波が第１の反射面あるいは第２の反射面の一方の反射面で反射した後の一次反射波を受信しないように配置されている。少なくとも一つの二次反射波の伝播方向がアンテナから電波を送信可能な方向のうちの少なくとも一つの方向と平行になり、また、アンテナに対して当該少なくとも一つの方向に位置する受信部材が、アンテナから送信された電波が第１の反射面あるいは第２の反射面の一方の反射面で反射した後の一次反射波を受信しないようにアンテナを配置する配置態様としては、典型的には、反射部材に対するアンテナの配置状態（配置位置や配置方向）を設定する態様が用いられる。
なお、アンテナを反射部材に対して配置した状態において、二次反射波の異なる伝播方向に対して、二次反射波の伝播方向がアンテナから電波を送信可能な方向のうちの一つの方向と平行となることがある。
前述したように、電波が第１の反射面と第２の反射面それぞれで反射することにより発生する位相差は、第１の反射面での反射により発生する位相差と第２の反射面での反射により発生する位相差の和（＝１８０°＋１８０°＝３６０°）である。このため、受信部材（受信アンテナ）で受信した、アンテナから送信された電波（直接波）と、アンテナから送信された電波（直接波）を第１の反射面と第２の反射面それぞれで反射させた後の二次反射波の位相差は、アンテナから第１の反射面と第２の反射面を介さない受信部材（受信アンテナ）までの伝播距離と、アンテナから第１の反射面と第２の反射面を介する受信部材（受信アンテナ）までの伝播距離との伝播距離差に対応する。この伝播距離差に対応する位相差は、伝播距離差が小さいほど小さくなる。また、伝播距離差は、アンテナと反射部材との間の距離を短くするほど小さくなる。したがって、アンテナと反射部材を近くに配置するほど、受信部材（受信アンテナ）で受信した直接波と二次反射波の位相差（波形のずれ）が小さくなって、受信部材で受信した直接波と二次反射波を合成した合成波の波高値（受信レベル）が大きくなり、通信可能距離が長くなる。
また、アンテナに対して少なくとも一つの方向に位置する受信部材（受信アンテナ）で直接波と二次反射波を受信している時には、第１の反射面あるいは第２の反射面で反射した後の一次反射波を受信しないようにアンテナが配置されるため、アンテナと反射部材の間の距離を短縮しながら通信可能距離を長くすることができる。
本発明では、アンテナに対して少なくとも一つの方向に位置する受信部材（受信アンテナ）は、少なくとも一つの方向に平行に伝播する直接波と二次反射波を受信し、一次反射波を受信しないため、合成波の波高値（受信レベル）が大きくなる。しかも、合成波の波高値（受信レベル）は、アンテナと反射部材との間の距離が短いほど大きくなる。したがって、アンテナと反射部材との間の距離を短縮しながら、通信可能距離を長くすることができる。また、アンテナと反射部材との間の距離の短縮化によって、アンテナ装置の小型化も可能となる。
本発明は、電波を送信する送信アンテナ装置として好適に用いることができる。
【０００８】
本発明の第４発明は、請求項４に記載された構成を備えるアンテナ装置である。
アンテナの後方に人体や金属等の物体が存在する場合には、アンテナの後方に存在する物体がアンテナでの電波の受信動作やアンテナからの電波の送信動作に影響を及ぼす虞がある。
本発明では、アンテナは、アンテナから少なくとも一つの方向に平行に引いた線が第１の反射面あるいは第２の反射面の一方の反射面と交差するように配置されている。
アンテナの配置態様としては、アンテナから複数の方向に引いた線が第１の反射面あるいは第２の反射面と交差するようにアンテナを配置する配置態様や、アンテナから少なくとも一つの方向に平行に引いた線が第１の反射面あるいは第２の反射面と交差するが、他の方向に平行に引いた線の少なくとも一部は第１の反射面および第２の反射面と交差しないようにアンテナを配置する配置態様を用いることができる。
本発明では、少なくとも一つの方向に伝播する電波をアンテナで受信する際あるいはアンテナに対して少なくとも一つの方向に存在する受信部材（受信アンテナ）に電波を送信する際に、アンテナの後方に存在する物体（例えば、人体や金属）による影響を防止することができる。
本発明は、電波を受信する受信アンテナ装置あるいは電波を送信する送信アンテナ装置あるいは電波を送受信する送受信アンテナ装置として用いることができる。
【０００９】
本発明の第５発明は、請求項５に記載された構成を備えるアンテナ装置である。
アンテナから第１の反射面に直角に引いた線（垂線）が第１の反射面と交差する場合には、アンテナから送信された電波（直接波）の一部が第１の反射面で反射し、一次反射波がアンテナ方向に伝播する。この一次反射波は、直接波と１８０°の位相差を有しているため、アンテナから送信される電波（直接波）の波高値が一次反射波によって小さくなり、通信可能距離が短くなる虞がある。アンテナから第２の反射面に直角に引いた線（垂線）が第２の反射面と交差する場合も、同様に、通信可能距離が短くなる虞がある。
本発明では、アンテナは、アンテナから第１の反射面に直角に引いた線が第１の反射面と交差しないとともに、アンテナから第２の反射面に直角に引いた線が第２の反射面と交差しないように配置されている。
本発明は、アンテナから送信された電波が第１の反射面あるいは第２の反射面で反射した後の一次反射波がアンテナの方向に伝播されるのを防止している。これにより、アンテナから送信される電波の波高値が一次反射波によって小さくなるのを防止することができ、通信可能距離の低下を防止することができる。
本発明は、電波を送信する送信アンテナ装置あるいは電波を送受信する送受信アンテナ装置として好適に用いることができる。
【００１０】
本発明の第６発明は、請求項６に記載された構成を備えるアンテナ装置である。
本発明では、第１の反射面と第２の反射面が９０°の接続角度で接続されている。なお、９０°には、略９０°（８５°〜９５°）が含まれる。
第１の反射面と第２の反射面を９０°（略９０°を含む）の接続角度で接続することにより、前述した条件が満足されるアンテナの配置領域を容易に判別することができる。これにより、反射部材に対してアンテナを配置する配置作業を容易に行うことができる。
【００１１】
本発明の第７発明は、請求項７に記載された構成を備える非接触型情報記憶装置である。
本発明は、処理回路と、記憶回路と、送信回路、受信回路および送受信回路のうちの少なくとも１つと、アンテナ装置を備えている。そして、アンテナ装置として前述したアンテナ装置のいずれかを用いている。
本発明では、アンテナと反射部材との間の距離を短縮しながら通信可能距離を短くすることができる。また、アンテナと反射部材との間の距離の短縮化にともなって、非接触型情報記憶装置を小型化することができる。
【００１２】
本発明の第８発明は、請求項８に記載された構成を備える非接触型情報記憶装置である。
本発明では、処理回路と、記憶回路と、送信回路、受信回路および送受信回路のうちの少なくとも１つと、アンテナ装置を構成するアンテナが一体成形されている。そして、一体成形された成形体に、アンテナ装置を構成する反射部材が取り付けられている。
本発明では、一体成形された成形体として市販の非接触型ＩＣタグ、ＲＦＩＤタグ、ＩＣタグ等を用いることができる。これにより、非接触型情報記憶装置を安価に、簡単に構成することができる。
【発明の効果】
【００１３】
請求項１〜６に記載のアンテナ装置を用いることにより、アンテナ素子と反射部材との間の距離を短縮しながら通信可能距離を長くすることができる。また、請求項７または８に記載の非接触型情報記憶装置を用いることにより、小型で、通信可能距離が長い非接触型情報記憶装置を得ることができる。
【発明を実施するための最良の形態】
【００１４】
以下に、本発明の実施の形態を、図面を参照しながら説明する。本実施の形態は、公知の非接触型ＩＣタグ（ＲＦＩＤタグあるいはＩＣタグ等とも呼ばれている）を用いて本発明の非接触型情報記憶装置を構成したものである。なお、以下では、非接触型ＩＣタグ、ＲＦＩＤタグ、ＩＣタグ等を総称して「非接触型ＩＣタグ」という。
先ず、非接触ＩＣタグ１０と非接触型情報読取装置８０の一例を図１に示す。図１に示す非接触型ＩＣタグ１０と非接触型情報読取装置８０は、例えば、ＵＨＦ帯の電波を用いて通信を行う。
非接触型ＩＣタグ１０は、ＩＣチップ２０とアンテナ３０が一体に成形されている。非接触型ＩＣタグ１０は、ラベル形状、タグ形状、カード形状等の種々の形状に成形可能である。図１に示されている非接触型ＩＣタグ１０は、ＩＣチップ２０とフィルム状のアンテナ３０を樹脂によってシート状に一体成形されている。ＩＣチップ２０には、ＣＰＵにより構成される処理回路２１、ＲＯＭやＲＡＭにより構成される記憶回路、情報を含む電波をアンテナ３０から送信あるいはアンテナ３０で受信した電波から情報を検出（復調）するための送受信回路２３が設けられている。非接触型ＩＣタグの各回路に電源を供給する手法としては、電池等の内蔵電源から供給する手法やアンテナ３０で受信した電波を電源に変換して供給する手法等を用いることができる。
非接触型情報読取装置６０は、ＣＰＵにより構成される処理回路８１、ＲＯＭやＲＡＭにより構成される記憶回路８２、送受信回路８３、アンテナ８４を備えている。
非接触型ＩＣタグ１０と非接触型情報読取装置８０の動作は公知であるため、簡単に説明する。
非接触型情報読取装置８０の処理回路８１は、送信要求情報を含む電波をアンテナ８４から送信する送信動作と、アンテナ８４で受信した電波に含まれている情報を検出する受信動作を繰り返しあるいは間欠的に行う。
非接触型ＩＣタグ１０の処理回路２１は、アンテナ３０で受信した電波に含まれている情報を検出する受信動作を間欠的に実行する。あるいは、アンテナ３０で電波を受信した場合に受信動作を実行する。非接触型ＩＣタグ１０が非接触型情報読取装置８０との通信が可能な通信可能範囲内に存在すると、処理回路２１は、受信した電波に送信要求情報が含まれていることを検出する。これにより、記憶回路２３に書き込まれている情報（例えば、物品を識別する物品識別情報や個人を識別する個人識別情報）を含む電波をアンテナ３０から送信する。
非接触型情報読取装置８０の処理回路８１は、アンテナ８４で受信した電波に非接触型ＩＣタグ１０に書き込まれている情報が含まれていることを検出すると、検出した情報に基づいて適宜の処理を行う。例えば、物品の搬出や人の入室等を管理している管理装置に、検出した情報（物品識別情報や個人識別情報）を送信する。
【００１５】
前述したように、非接触型ＩＣタグ１０の後方に物体（人体や金属等）が存在すると、非接触型ＩＣタグ１０の記憶回路２２に書き込まれている情報を非接触型情報読取装置８０で読み取ることができる距離（通信可能距離）が短くなる。この非接触型ＩＣタグ１０の後方に存在する物体（人体や金属等）によって通信可能距離が短くなるのを防止する手法としては、非接触型ＩＣタグ１０の後方、すなわち、非接触型ＩＣタグ１０（詳しくは、非接触型ＩＣタグ１０のアンテナ３０）と物体との間に反射部材を設ける手法を用いることができる。ここで、非接触型ＩＣタグ１０のアンテナ３０が、アンテナ３０の後方に配置されている反射部材で反射していない電波（「直接波」という）と反射部材で１回反射した後の反射波（「一次反射波」という）を受信して合成する場合には、合成波の波高値を高くして通信可能距離を短くするために、アンテナと反射部材との間の距離を［λ／４］（λ：非接触型情報読取装置から送信される電波の波長）付近に調整する必要がある。この場合、アンテナと反射部材との間の距離を短縮するのに限界がある。
【００１６】
本発明者らは、非接触型ＩＣタグ１０の記憶回路２２に書き込まれている情報を読み取ることができる距離（通信可能距離）を長くすることができるとともに、非接触型ＩＣタグ１０と非接触型ＩＣタグ１０の後方（非接触型ＩＣタグ１０と物体との間）に配置される反射部材との間の距離を短縮することができる手法について種々検討した結果、非接触型ＩＣタグ１０のアンテナ３０が、反射部材で２回反射した後の反射波（「二次反射波」という）を受信するように構成することによって、通信可能距離を長くすることができるとともに、アンテナ３０と反射部材との間の距離を短縮することができることを見出した。
アンテナ３０が二次反射波を受信する状態を図１０に示す。図１０では、非接触型情報読取装置８０（アンテナ８４）から送信され、ｙ軸方向に平行に伝播する電波Ｒ１、Ｒ２を例示的に示している。
図１９に示されているように、直接波Ｒ２は、反射部材４０の第１の反射面４１Ａで反射して反射波（一次反射波）Ｒ２ａとなり、さらに、反射部材４０の第２の反射面４２Ａで反射して反射波（二次反射波）Ｒ２ｂとなってアンテナ２０の方向に伝播する。すなわち、アンテナ３０は、直接波Ｒ１と、直接波Ｒ２が第１の反射面４１Ａと第２の反射面４２Ａそれぞれで反射した後の二次反射波Ｒ２ｂを受信する。電波を２回反射させた場合、２回の反射による位相差は、各反射による位相差の和（＝１８０°＋１８０°＝３６０°）となる。これにより、アンテナ３０で直接波Ｒ１と二次反射波Ｒ２ｂを受信する場合には、アンテナ３０で直接波Ｒ１を受信した時の受信電波の位相とアンテナ３０で二次反射波Ｒ２ｂを受信した時の受信電波の位相との位相差は、アンテナ３０で受信した直接波Ｒ１の伝播距離とアンテナ３０で受信した二次反射波Ｒ２ｂの伝播距離との伝播距離差に対応する位相差となる。直接波Ｒ１の伝播距離は、非接触型情報読取装置８０のアンテナ８４から送信された電波が、第１の反射面４１Ａおよび第２の反射面４２Ａを介さないでアンテナ３０に到達する伝播経路の伝播距離である。二次反射波Ｒ２ｂの伝播距離は、非接触型情報読取装置８０のアンテナ８４から送信された電波が、第１の反射面４１Ａと第２の反射面４２Ａを介してアンテナ３０に到達する伝播経路の伝播距離である。
このように、アンテナ３０で二次反射波を受信するように構成することにより、反射による位相差に起因する合成波の波高値（受信レベル）の低下を防止することができる。
また、アンテナ３０で受信する直接波Ｒ１の伝播距離とアンテナ３０で受信する二次反射波Ｒ２ｂの伝播距離との伝播距離差は、アンテナ３０と反射部材４０（第１の反射面４１Ａあるいは第２の反射面４２Ａ）との間の距離に依存する。すなわち、アンテナ３０で受信する直接波Ｒ１の伝播距離とアンテナ３０で受信する二次反射波Ｒ２ｂの伝播距離との伝播距離差は、アンテナ３０と反射部材４０との間の距離が短いほど短くなる。このため、アンテナ３０で直接波Ｒ１と二次反射波Ｒ２ｂを受信する場合には、アンテナ３０で直接波Ｒ１を受信した時の受信電波の位相とアンテナ３０で二次反射波Ｒ２ｂを受信した時の受信電波の位相との位相差は、非接触型ＩＣタグ１０のアンテナ３０と反射部材４０との間の距離が短いほど小さくなる。
ここで、１５°（＝３６０°＋１５°）の位相差を有する２つの電波を合成した合成波の波高値を図１１に示す。図１１において、破線は、第１の電波［ｓｉｎ（ｘ）］の波高値を示し、一点鎖線は、第１の電波と１５°の位相差を有する第２の電波［ｓｉｎ（ｘ−１５°）］の波高値を示し、実線は、合成波［ｓｉｎ（ｘ）＋ｓｉｎ（ｘ−１５°）］の波高値を示している。図１１に示されているように、０°あるいは３６０°に近い位相差を有する２つの電波を合成した合成波の波高値は非常に大きい。
以上のように、アンテナで二次反射波を受信するように構成することにより、アンテナでの合成波の波高値を高め、通信可能距離を長くすることができる。また、アンテナと反射部材との間の距離も短縮することができる。
なお、アンテナで二次反射波とともに一次反射波を受信するように構成する場合には、一次反射波によって合成波の波高値が小さくなる。このため、アンテナで二次反射波を受信し、一次反射を受信しないように構成するのが好ましいが、合成波の波高値が一定値以上となるように一次反射波を受信するように構成してもよい。
【００１７】
次に、本発明の非接触型情報記憶装置の一実施の形態の概略構成を図２に示す。本実施の形態は、図１に示されている非接触型ＩＣタグ１０に、反射部材４０を取り付けて構成されている。なお、説明を簡略化するために、図２では、非接触型ＩＣタグ１０のアンテナ３０をロッドアンテナで表し、非接触型ＩＣタグ１０の処理回路２１、記憶回路２２、送受信回路２３の図示は省略している。また、図２では、説明を簡略化するために、反射部材４０の接続部４０Ａの長さ方向（アンテナ３０の長さ方向）をｚ軸に平行とし、接続部４０Ａの長さ方向に直角な断面（図２のＩＩＩ−ＩＩＩ線断面）を［ｘ軸−ｙ軸］平面に平行な面として、左右方向をｘ軸に平行に設定し、上下方向をｙ軸に平行に設定している。そして、非接触型情報記憶装置の周囲では、ｙ軸に平行な方向に電波が伝播するものとしている。勿論、非接触型情報読取装置８０（アンテナ８４）に対する非接触型情報記憶装置の配置状態（配置位置や配置角度）によって、非接触型情報記憶装置の周囲における電波の伝播方向は変化する。
非接触型ＩＣタグ１０に反射部材４０を取り付けることにより、処理回路、記憶回路、送受信回路、アンテナとして、市販の非接触型ＩＣタグ１０に一体成形されている処理回路、記憶回路、送受信回路、アンテナを用いることができるため、本発明の非接触型情報記憶装置を簡単に構成することができる。また、アンテナを反射部材に取り付ける作業も容易となる。
アンテナ３０は、本発明のアンテナ装置の「アンテナ」あるいは本発明の非接触型情報記憶装置の「アンテナ」に対応する。反射部材４０は、本発明のアンテナ装置の「反射部材」あるいは本発明の非接触型情報記憶装置の「反射部材」に対応する。また、処理回路２１、記憶回路２２、送受信回路２３は、それぞれ本発明の非接触型情報記憶装置の「処理回路」、「記憶回路」、「送受信回路」に対応する。
【００１８】
反射部材４０は、第１の反射部材４１と第２の反射部材４２を有している。第１の反射部材４１と第２の反射部材４２は、別体に形成してもよいが、一体に形成するのが好ましい。第１の反射部材４１の一方側の面には第１の反射面４１Ａが形成され、第２の反射部材４２の一方側の面には第２の反射面４２Ａが形成される。第１の反射面４１Ａおよび第２の反射面４２Ａは、平面形状に形成されている。本実施の形態では、第１の反射面４１Ａおよび第２の反射面４２Ａは、アンテナ３０の長さ方向（長手方向）に長い長方形に形成されている。図２では、第１の反射面４１Ａは、長辺の長さ（ｚ軸方向の長さ）がＬ、短辺の長さがＭであり、第２の反射面４２Ａは、長辺の長さがＬ、短辺の長さがＮである。本実施の形態では、（Ｍ＜Ｎ）に設定されている。勿論、第１の反射面４１Ａおよび第２の反射面４２Ａの大きさや形状は適宜選択することができる。なお、第１の反射面４１Ａの短辺のｘ軸方向およびｙ軸方向の長さはＭｘおよびＭｙで表し、第２の反射面４２Ａの短辺のｘ軸方向及びｙ軸方向の長さはＮｘおよびＮｙで表している（例えば、図３参照）
また、第１の反射面４１Ａと第２の反射面４２Ａは、接続部４０Ａを中心に接続角度θで接続されている。本実施の形態では、第１の反射面４１Ａと第２の反射面４２Ａは、直線状の接続部４０Ａで接続されている。第１の反射面４１Ａと第２の反射面４２Ａの接続角度θは、１８０°以下の範囲内の角度に設定される。すなわち、接続部材４０の第１の反射面４１Ａと第２の反射面４２Ａは、接続部４０Ａの長さ方向に直角な断面（例えば、図２のＩＩＩ−ＩＩＩ線矢視図である図３）で見て、Ｖ字状に接続されている。
第１の反射面４１Ａと第２の反射面４２Ａは、電波を反射可能な種々の材料によって形成される。また、第１の反射面４１Ａと第２の反射面４２Ａの形成方法としては、種々の方法を用いることができる。例えば、銀、アルミニウム、銅等の金属によって板状（あるいはシート状）に形成され、接続角度θで接続されている第１および第２の金属板（あるいは金属シート）の互いに対向する面を、第１の反射面４１Ａおよび第２の反射面４２Ａとして用いることができる。あるいは、樹脂によって板状（あるいはシート状）に形成され、接続角度θで接続されている第１及び第２の樹脂板（あるいは樹脂シート）の互いに対向する面に銀、アルミニウム、銅等の金属被膜を形成し、形成した金属被膜それぞれの表面を第１の反射面４１Ａおよび第２の反射面４２Ａとして用いることができる。
なお、「平面形状の反射面」は、部材の加工精度や被膜成形精度等によって定まる面粗度を有する平らな反射面を意味する。
【００１９】
アンテナ３０（あるいは非接触型ＩＣタグ１０）は、反射部材４０の第１の反射面４１Ａおよび第２の反射面４２Ａに対向する側（第１の反射面４１Ａと第２の反射面４２Ａで挟まれる側）に配置される。なお、図２には図示を省略しているが、アンテナ３０（非接触型ＩＣタグ１０）を反射部材４０に取り付ける取り付け部材が設けられている。アンテナ３０（非接触型ＩＣタグ１０）を反射部材４０に取り付ける取り付け部材としては、種々の構成の取り付け部材を用いることができる。本実施の形態の非接触型情報記憶装置は、アンテナ３０と物体（人体や金属）との間に反射部材４０が配置されるように、人が携帯し、あるいは、物品に取り付けられる。
前述したように、アンテナ３０の後方に物体（人体や金属等）が存在すると、アンテナの後方に存在する物体の影響によって通信可能距離が短くなる虞がある。また、本実施の形態では、少なくとも、ｙ軸に平行な方向に電波が伝播する時に、アンテナで直接波と二次反射波を受信するように構成している。したがって、少なくとも、ｙ軸方向に平行に見た時に、アンテナ３０と物体の間が反射部材４０で遮蔽されるように（すなわち、アンテナ３０からｙ軸方向に平行に引いた線が第１の反射面４１Ａあるいは第２の反射面４２Ａと交差するように）、反射部材４０の大きさや、アンテナ３０（非接触型ＩＣタグ１０）に対する反射部材４０の配置状態が設定される。例えば、反射部材４０のｚ軸方向の長さ（接続部４０Ａの長さ方向の長さ方向の一方側の端部４０ａと他方側の端部４０ｂの間の長さ）Ｌが、アンテナ３０のｚ軸方向の長さ（長さ方向の一方側の端部３０ａと他方側の端部３０ｂの間の長さ）Ｋより大きくなり、反射部材４０のｘ軸方向の長さ（＝Ｍｘ＋Ｎｙ）が、アンテナ３０のｘ軸方向の長さＪより大きくなるように、反射部材４０が形成されている。
【００２０】
以上のような構成を備える本実施の形態の非接触型情報記憶装置において、非接触型情報読取装置８０（アンテナ８４）から送信された電波をアンテナ３０で受信する際に、アンテナ３０が二次反射波を受信し、一次反射波を受信しない領域について説明する。
先ず、アンテナ３０が一次反射波を受信しない領域について、図３〜図５を用いて説明する。図３〜図５は、図２のＩＩＩ−ＩＩＩ線断面図（ｘ軸-ｙ軸平面に平行な断面図）である。また、図３〜図５では、アンテナ３０の周囲では、ｙ軸に平行な方向に電波が伝播するものとしている。また、図３〜図５では、説明を簡略化するために、第１の反射面４１Ａと第２の反射面４２Ａの接続部４０Ａを座標（０，０）に設定し、また、送信部材（送信アンテナ）から送信される電波がｙ軸に平行に伝播するものとしている。後述する他の図面も同様に設定されている。
なお、以下で説明する、ｙ軸に平行な伝播方向が本発明の「少なくとも一つの方向」に対応する。
図３では、接続角度θが、［９０°＜θ＜１８０°］の範囲内に設定され、第１の反射面４１Ａと第２の反射面４２Ａの接続部４０Ａからｙ軸に平行に引いた線ｐ１と第１の反射面４１Ａおよび第２の反射面４２Ａとの間の角度θ１およびθ２が、［０°＜θ１＜９０°］、［０°＜θ２＜９０°］の範囲内に設定されている。図４では、接続角度θが９０°に設定され、角度θ１およびθ２が４５°に設定されている。図５では、接続角度θが、［０°＜θ＜９０°］の範囲内に設定されている。
【００２１】
接続部４０Ａの長さ方向に直角な断面で見て、図３に示す形状を有する反射部材４０を使用する場合には、第１の反射面４１Ａで反射した後の一次反射波と第２の反射面４２Ａで反射した後の一次反射波を受信する領域が存在する。
第１の反射面４１Ａで反射した後の一次反射波を受信する領域の第１の境界は、電波Ａ１が第１の反射面４１Ａの端部４１ａで反射した後の反射波Ａ２の伝播方向である。第１の反射面４１Ａで反射した後の一次反射波を受信する領域の第２の境界は、電波Ｐ１が第１の反射面４１Ａの接続部４０Ａで反射した後の反射波Ｐ２の伝播方向である。すなわち、第１の反射面４１Ａで反射した後の一次反射波を受信しない領域は、ｙの座標値が、反射波Ａ２の伝播方向である線ａ２より大きい領域と、反射波Ｐ２の伝播方向である線ｐ２より小さい領域である。
第２の反射面４２Ａで反射した後の一次反射波を受信する領域の第１の境界は、電波Ｂ１が第２の反射面４２Ａの端部４２ａで反射した後の反射波Ｂ２の伝播方向である。第２の反射面４２Ａで反射した後の一次反射波を受信する領域の第２の境界は、電波Ｐ１が第２の反射面４１Ａの接続部４０Ａで反射した後の反射波Ｐ３の伝播方向である。すなわち、第２の反射面４２Ａで反射した後の一次反射波を受信しない領域は、ｙの座標値が、反射波Ｂ２の伝播方向である線ｂ２より大きい領域と、反射波Ｐ３の伝播方向である線ｐ３より小さい領域である。
なお、前述したように、本実施の形態では、少なくとも、ｙ軸方向に平行に見た時に、アンテナ３０と人体や金属等の物体との間が反射部材４０で遮蔽されるように、アンテナ３０が反射部材４０に対して配置される。すなわち、アンテナ３０は、第１の反射面４１Ａの端部４１ａからｙ軸に平行に引いた線ａ１と、第２の反射面４２Ａからｙ軸に平行に引いた線ｂ１の間の領域に配置される。すなわち、ｘの座標値が、（Ｍｘ＝Ｍ・ｓｉｎθ１）より小さく、（Ｎｘ＝Ｎ・ｓｉｎθ２）より大きい領域に配置される。
したがって、図３に示す反射部材４０を使用する場合には、第１の反射面４１Ａあるいは第２の反射面４２Ａで反射した後の一次反射波を受信しない領域は、線ａ１、ａ２、ｂ１、ｂ２により囲まれる領域Ｑ１と、線ａ１、ａ２、ｐ３により囲まれる領域Ｑ２と、線ｂ１、ｂ２、ｐ２により囲まれる領域Ｑ３である。
【００２２】
なお、図３に示す各線は、以下のように表される。
電波Ａ１の伝播方向を示す線ａ１は、［１式］で表される。
【数１】
0004933977.tif 000002
［１式］
反射波Ａ２の伝播方向を示す線ａ２は、［２式］で表される。
【数２】
0004933977.tif 000003
［２式］
電波Ｂ１の伝播方向を示す線ｂ１は、［３式］で表される。
【数３】
0004933977.tif 000004
［３式］
反射波Ｂ２の伝播方向を示す線ｂ２は、［４式］で表される。
【数４】
0004933977.tif 000005
［４式］
反射波Ｐ２の伝播方向を示す線ｐ２は、［５式］で表される。
【数５】
0004933977.tif 000006
［５式］
反射波Ｐ３の伝播方向を示す線ｐ３は、［６式］で表される。
【数６】
0004933977.tif 000007
［６式］
【００２３】
接続部４０Ａの長さ方向に直角な断面で見て、図４に示す形状を有する反射部材４０を使用する場合には、第１の反射面４１Ａで反射した後の一次反射波と第２の反射面４２Ａで反射した後の一次反射波を受信する領域が存在する。
第１の反射面４１Ａで反射した後の一次反射波を受信する領域の境界は、電波Ａ１が第１の反射面４１Ａの端部４１ａで反射した後の反射波Ａ２の伝播方向である。すなわち、第１の反射面４１Ａで反射した後の一次反射波を受信しない領域は、ｙの座標値が、反射波Ａ２の伝播方向である線ａ２より大きい領域である。
第２の反射面４２Ａで反射した後の一次反射波を受信する領域の境界は、電波Ｂ１が第２の反射面４２Ａの端部４２ａで反射した後の反射波Ｂ２の伝播方向である。すなわち、第２の反射面４２Ａで反射した後の一次反射波を受信しない領域は、ｙの座標値が、反射波Ｂ２の伝播方向である線ｂ２より大きい領域である。
したがって、図４に示す反射部材４０を使用する場合には、第１の反射面４１Ａあるいは第２の反射面４２Ａで反射した後の一次反射波を受信しない領域は、線ａ１、ｂ１、ｂ２により囲まれる領域Ｑ１である。
なお、図４に示す各線は、以下のように表される。
電波Ａ１の伝播方向を示す線ａ１は、［７式］で表される。
【数７】
0004933977.tif 000008
［７式］
電波Ｂ１の伝播方向を示す線ｂ１は、［８式］で表される。
【数８】
0004933977.tif 000009
［８式］
反射波Ｂ２の伝播方向を示す線ｂ２は、［９式］で表される。
【数９】
0004933977.tif 000010
［９式］
【００２４】
接続部４０Ａの長さ方向に直角な断面で見て、図５に示す形状を有する反射部材４０を使用する場合には、第１の反射面４１Ａで反射した後の一次反射波と第２の反射面４２Ａで反射した後の一次反射波を受信する領域が存在する。
第１の反射面４１Ａで反射した後の一次反射波を受信する領域の境界は、電波Ａ１が第１の反射面４１Ａの端部４１ａで反射した後の反射波Ａ２の伝播方向である。すなわち、第１の反射面４１Ａで反射した後の一次反射波を受信しない領域は、ｙの座標値が、反射波Ａ２の伝播方向である線ａ２より大きい領域である。
第２の反射面４２Ａで反射した後の一次反射波を受信する領域の境界は、電波Ｂ１が第２の反射面４２Ａの端部４２ａで反射した後の反射波Ｂ２の伝播方向である。すなわち、第２の反射面４２Ａで反射した後の一次反射波を受信しない領域は、ｙの座標値が、反射波Ｂ２の伝播方向である線ｂ２より大きい領域である。
したがって、図５に示す反射部材４０を使用する場合には、第１の反射面４１Ａあるいは第２の反射面４２Ａで反射した後の一次反射波を受信しない領域は、線ａ１、ａ２、ｂ１、ｂ２により囲まれる領域Ｑ１である。
なお、図５に示す各線は、以下のように表される。
電波Ａ１の伝播方向を示す線ａ１は［１式］で表され、電波Ｂ１の伝播方向を示す線ｂ１は［３式］で表される。
反射波Ａ２の伝播方向を示す線ａ２は、［１０式］で表される。
【数１０】
0004933977.tif 000011
［１０式］
反射波Ｂ２の伝播方向を示す線ｂ２は、［１１式］で表される。
【数１１】
0004933977.tif 000012
［１１式］
【００２５】
次に、アンテナ３０が二次反射を受信する領域について、図６により説明する。
ｙ軸に平行に伝播する電波Ａ１が第１の反射面４１Ａで反射した後の反射波Ａ２の傾きは、−（２・θ１−９０°）である。ｙ軸に平行に伝播する電波が第１の反射面４１Ａと第２の反射面４２Ａそれぞれで反射するためには、ｙ軸に平行に伝播する電波が第１の反射面４１Ａで反射した後の反射波の伝播方向を示す線が第２の反射面と交差する必要がある。ここで、第２の反射面４２Ａの傾きは、−（９０°−θ２）で表される。したがって、ｙ軸に平行に伝播する電波が第１の反射面４１Ａで反射し、さらに第２の反射面４２Ａで反射するためには、［（９０°−θ２）＞（２・θ１−９０°）］を満足する必要がある。
同様に、ｙ軸に平行に伝播する電波が第２の反射面４２Ａで反射し、さらに第１の反射面４１Ａで反射するためには、［（９０°−θ１）＞（２・θ２−９０°）］を満足する必要がある。
【００２６】
図６に示す反射部材４０において、ｙ軸に平行に伝播する電波が第１の反射面４１Ａで反射し、さらに第２の反射面４２Ａで反射した後の二次反射波を受信する領域の第１の境界は、電波Ｃ１が第１の反射面４１Ａで反射した後の反射波Ｃ２が第２の反射面４２Ａの端部４２ａで反射した後の反射波Ｃ３の伝播方向である。ｙ軸に平行に伝播する電波が第１の反射面４１Ａで反射し、さらに第２の反射面４２Ａで反射した後の二次反射波を受信する領域の第２の境界は、電波Ｐ１が第１の反射面４１Ａの接続部４０Ａおよび第２の反射面４２Ａの接続部４０Ａで反射した後の反射波Ｐ２の伝播方向である。反射波Ｐ２の伝播方向は、反射波Ｃ３の伝播方向と平行である。すなわち、第１の反射面４１Ａで反射した、さらに第２の反射面４２Ａで反射した後の二次反射波を受信する領域は、ｙの座標値が、反射波Ｐ２の伝播方向である線ｐ２より小さく、且つ、反射波Ｃ３の伝播方向である線ｃ３より大きい領域である。
また、ｙ軸に平行に伝播する電波が第２の反射面４２Ａで反射し、さらに第１の反射面４１Ａで反射した後の二次反射波を受信する領域の第１の境界は、電波Ｄ１が第２の反射面４２Ａで反射した後の反射波Ｄ２が第１の反射面４１Ａの端部４１ａで反射した後の反射波Ｄ３の伝播方向である。ｙ軸に平行に伝播する電波が第２の反射面４２Ａで反射し、さらに第１の反射面４１Ａで反射した後の二次反射波を受信する領域の第２の境界は、電波Ｐ１が第２の反射面４２Ａの接続部４０Ａおよび第１の反射面４１Ａの接続部４０Ａで反射した後の反射波Ｐ３の伝播方向である。反射波Ｐ３の伝播方向は、反射波Ｄ３の伝播方向と平行である。すなわち、第２の反射面４２Ａで反射し、さらに第１の反射面４１Ａで反射した後の二次反射波を受信する領域は、ｙの座標値が、反射波Ｐ３の伝播方向である線ｐ３より小さく、且つ、反射波Ｄ３の伝播方向である線ｄ３より大きい領域である。
したがって、図６に示す反射部材４０を使用する場合には、第１の反射面４１Ａと第２の反射面４２Ａそれぞれで反射した後の二次反射波を受信する領域は、線ｂ１、ｐ２、第２の反射面４２Ａを表す線４２ｑにより囲まれる領域Ｒ１と、線ａ１、ｐ３、第１の反射面４１Ａを表す線４１ｑにより囲まれる領域Ｒ２である。
【００２７】
なお、図６に示す各線は、以下のように表される。
電波Ａ１の伝播方向を示す線ａ１は［１式］で表され、電波Ｂ１の伝播方向を示す線ｂは[３式]で表される。
反射波Ｐ２の伝播方向を示す線ｐ２は、［１２式］で表される。
【数１２】
0004933977.tif 000013
［１２式］
反射波Ｐ３の伝播方向を示す線ｐ３は、［１３式］で表される。
【数１３】
0004933977.tif 000014
［１３式］
第１の反射面４１Ａを示す線４１ｑは、[１４式]で表される。
【数１４】
0004933977.tif 000015
［１４式］
第２の反射面４２Ａを示す線４２ｑは、[１５式]で表される。
【数１５】
0004933977.tif 000016
［１５式］
【００２８】
本実施の形態の非接触型情報記憶装置において、非接触型情報読取装置８０（アンテナ８４）から送信された電波をアンテナ３０で受信する際に、アンテナ３０が二次反射波を受信し、一次反射波を受信しない領域は、前述した、アンテナ３０が一次反射波を受信しない領域とアンテナ３０が二次反射波を受信する領域が重なっている領域である。
アンテナ３０が二次反射を受信し、一次反射波を受信しない領域について、図７〜図９を用いて説明する。
図７では、接続角度θが、［９０°＜θ＜１８０°］の範囲内に設定され、第１の反射面４１Ａと第２の反射面４２Ａの接続部４０Ａからｙ軸に平行に引いた線ｐ１と第１の反射面４１Ａおよび第２の反射面４２Ａとの間の角度θ１およびθ２が、［０°＜θ１＜９０°］、［０°＜θ２＜９０°］の範囲内に設定されている。図８では、接続角度θが９０°に設定され、角度θ１およびθ２が４５°に設定されている。図９では、接続角度θが、［０°＜θ＜９０°］の範囲内に設定されている。
【００２９】
図７に示す反射部材４０を使用する場合、ｙ軸に平行に伝播する電波が第１の反射面４１Ａあるいは第２の反射面４２Ａで反射した後の一次反射波を受信しない領域は、第１の反射面４１Ａで反射した後の一次反射波を受信する領域の境界と、第２の反射面４２Ａで反射した後の一次反射波を受信する領域の境界と、第１の反射面４１Ａと第２の反射面４２Ａの配置領域の境界によって定まる。第１の反射面４１Ａで反射した後の一次反射波を受信する領域の境界は、電波Ａ１が第１の反射面４１Ａの端部４１ａで反射した後の反射波Ａ２の伝播方向を示す線ａ２である。第２の反射面４２Ａで反射した後の一次反射波を受信する領域の境界は、電波Ｂ１が第２の反射面４２Ａの端部４２ａで反射した後の反射波Ｂ２の伝播方向を示す線ｂ２である。第１の反射面４１Ａと第２の反射面４２Ａの配置領域の境界は、第１の反射面４１Ａの端部４１ａからｙ軸に平行に引いた線ａ１と、第２の反射面４２Ａからｙ軸に平行に引いた線ｂ１である。すなわち、第１の反射面４１Ａあるいは第２の反射面４２Ａで反射した後の一次反射波を受信しない領域は、ｙの座標値が、反射波Ａ２の伝播方向を示す線ａ２および反射波Ｂ２の伝播方向を示す線ｂ２より大きく、ｘの座標値が、線ａ１より小さく、線ｂ１より大きい領域Ｑ１である。
また、ｙ軸に平行に伝播する電波が第１の反射面４１Ａと第２の反射面４２Ａそれぞれで反射した後の二次反射波を受信する領域は、第１の反射面４１Ａで反射し、さらに第２の反射面４２Ａで反射した後の二次反射波を受信する領域の境界と、第２の反射面４２Ａで反射し、さらに第１の反射面４１Ａで反射した後の二次反射を受信する領域の境界と、第１の反射面４１Ａと第２の反射面４２Ａの配置領域の境界によって定まる。第１の反射面４１Ａで反射し、さらに第２の反射面４２Ａで反射した後の二次反射を受信する領域の境界は、電波Ｐ１が第１の反射面４１Ａの接続部４０Ａおよび第２の反射面４２Ａの接続部４０Ａで反射した後の反射波Ｐ２の伝播方向を示す線ｐ２である。線ｐ２は、第１の反射面４１Ａで反射し、さらに第２の反射面４２Ａで反射した後の反射波の伝播方向を示す線（例えば、反射波Ｃ３の伝播方向を示す線ｃ２）と平行である。第２の反射面４２Ａで反射し、さらに第１の反射面４１Ａで反射した後の二次反射を受信する領域の境界は、電波Ｐ１が第２の反射面４２Ａの接続部４０Ａおよび第１の反射面４１Ａの接続部４０Ａで反射した後の反射波Ｐ３の伝播方向を示す線ｐ３である。線ｐ３は、第２の反射面４２Ａで反射し、さらに第１の反射面４１Ａで反射した後の反射波の伝播方向を示す線（例えば、反射波Ｄ３の伝播方向を示す線ｄ２）と平行である。すなわち、第１の反射面４１Ａと第２の反射面４２Ａそれぞれで反射した後の二次反射波を受信する領域は、ｙの座標値が、反射波Ｐ２の伝播方向を示す線ｐ２より小さく、ｘの座標値が、線ｂ１より大きい領域Ｒ１と、ｙの座標値が、反射波Ｐ３の伝播方向を示す線ｐ３より小さく、ｘの座標値が、線ａ１より小さい領域Ｒ２である。
したがって、図７に示す反射部材４０を使用する場合、二次反射波を受信し、一次反射はを受信しない領域は、領域Ｑ１と領域Ｒ１が重なっている領域Ｗ１である。領域Ｗ１は、線ａ２、ｂ２、ｐ２、ｂ１で囲まれている。
なお、図７に示す各線を表す式は、前述したとおりである。
【００３０】
図８に示す反射部材４０を使用する場合、ｙ軸に平行に伝播する電波が第１の反射面４１Ａあるいは第２の反射面４２Ａで反射した後の一次反射波を受信しない領域は、端部４１ａ、４２ａのうちyの座標値が大きい（物体からの距離が長い）方の端部で反射した後の反射波の伝播方向を示す線（図８に示す反射部材４０では、第２の反射面４２Ａの端部４２ａで反射した後の反射波Ｂ２の伝播方向を示す線ｂ２）と、第１の反射面４１Ａと第２の反射面４２Ａの配置領域の境界を示す線ａ１、ｂ１によって定まる。すなわち、第１の反射面４１Ａあるいは第２の反射面４２Ａで反射した後の一次反射波を受信しない領域は、ｙの座標値が、反射波Ｂ２の伝播方向を示す線ｂ２より大きく、ｘの座標値が、線ａ１より小さく、線ｂ１より大きい領域Ｑ１である。
また、ｙ軸に平行に伝播する電波が第１の反射面４１Ａと第２の反射面４２Ａそれぞれで反射した後の二次反射波を受信する領域は、端部４１ａ、４２ａのうちyの座標値が小さい（物体からの距離が短い）方の端部で反射した後の反射波（一次反射）の伝播方向を示す線と、この反射波がさらに反射した後の反射波（二次反射波）の伝播方向を示す線（図８に示す反射部材４０では、第１の反射面４１Ａの端部４１ａで反射した反射波Ａ２の伝播方向を示す線ａ２と、反射波Ａ２がさらに第２の反射面４２Ａで反射した後の反射波Ａ３の伝播方向を示す線ｂ２）と、端部４１ａ、４２ａのうちyの座標値が小さい方の端部の配置位置を示す線（図８に示す反射部材４０では、第１の反射面４１Ａの端部４１ａの配置位置を示す線ａ１）によって定まる。すなわち、第１の反射面４１Ａと第２の反射面４２Ａそれぞれで反射した後の二次反射波を受信する領域は、ｙの座標値が、反射波Ａ２の伝播方向を示す線ａ２より大きく、ｘの座標値が、線ａ１より小さく、反射波Ａ３の伝播方向を示す線ａ３より大きい領域Ｒ１である。
したがって、図８に示す反射部材４０を使用する場合、二次反射波を受信し、一次反射を受信しない領域は、領域Ｑ１と領域Ｒ１が重なっている領域Ｗ１である。領域Ｗ１は、線ａ１、ａ３、ｂ２で囲まれている。
なお、図８に示す線ａ２は、［１６式］で表される。
【数１６】
0004933977.tif 000017
［１６式］
線ａ３は、［１７式］で表される。
【数１７】
0004933977.tif 000018
［１７式］
線ａ１、ｂ１、ｂ２を表す式は、前述したとおりである。
【００３１】
図９に示す反射部材４０を使用する場合、ｙ軸に平行に伝播する電波が第１の反射面４１Ａあるいは第２の反射面４２Ａで反射した後の一次反射波を受信しない領域は、第１の反射面４１Ａで反射した後の一次反射波を受信する領域の境界と、第２の反射面４２Ａで反射した後の一次反射波を受信する領域の境界と、第１の反射面４１Ａと第２の反射面４２Ａの配置領域の境界によって定まる。第１の反射面４１Ａで反射した後の一次反射波を受信する領域の境界は、電波Ａ１が第１の反射面４１Ａの端部４１ａで反射した後の反射波Ａ２の伝播方向を示す線ａ２である。第２の反射面４２Ａで反射した後の一次反射波を受信する領域の境界は、電波Ｂ１が第２の反射面４２Ａの端部４２ａで反射した後の反射波Ｂ２の伝播方向を示す線ｂ２である。すなわち、第１の反射面４１Ａあるいは第２の反射面４２Ａで反射した後の一次反射波を受信しない領域は、ｙの座標値が、反射波Ａ２の伝播方向を示す線ａ２および反射波Ｂ２の伝播方向を示す線ｂ２より大きく、ｘの座標値が、線ａ１より小さく、線ｂ１より大きい領域Ｑ１である。
【００３２】
また、ｙ軸に平行に伝播する電波が第１の反射面４１Ａと第２の反射面４２Ａそれぞれで反射した後の二次反射波を受信する領域は、第１の反射面４１Ａで反射し、さらに第２の反射面４２Ａで反射した後の二次反射波を受信する領域の境界と、第１の反射面４１Ａと第２の反射面４２Ａそれぞれで反射し、さらに第１の反射面４１Ａで反射した後の反射波（三次反射波）を受信する領域の境界と、第２の反射面４２Ａで反射し、さらに第１の反射面４１Ａで反射した後の二次反射を受信する領域の境界と、第２の反射面４２Ａと第１の反射面４１Ａそれぞれで反射し、さらに第２の反射面で反射した後の反射波（三次反射波）を受信する領域の境界と、第１の反射面４１Ａと第２の反射面４２Ａの配置領域の境界によって定まる。
第１の反射面４１Ａで反射し、さらに第２の反射面４２Ａで反射した後の二次反射を受信する領域の境界は、電波Ａ１が第１の反射面４１Ａの接続部４０ａで反射し（反射波Ａ２）、さらに第２の反射面４２Ａで反射した後の反射波Ａ３の伝播方向を示す線ａ３である。第１の反射面４１Ａと第２の反射面４２Ａそれぞれで反射し、さらに第１の反射面４１Ａで反射した後の三次反射波（３回反射した反射波）を受信する領域の境界は、電波Ｅ１が第１の反射面４１Ａで反射した後（反射波Ｅ２）第２の反射面４２Ａで反射し（反射波Ｅ３）、さらに第１の反射面４１Ａの端部４１ａで反射した後の反射波Ｅ４の伝播方向を示す線ｅ４と平行であり、第１の反射面４１Ａの接続部４０Ａを通る線ｅ５である。第２の反射面４２Ａで反射し、さらに第１の反射面４１Ａで反射した後の二次反射を受信する領域の境界は、電波Ｂ１が第２の反射面４２Ａの接続部４０ｂで反射し（反射波Ｂ２）、さらに第１の反射面４１Ａで反射した後の反射波Ｂ３の伝播方向を示す線ｂ３である。第２の反射面４２Ａと第１の反射面４１Ａそれぞれで反射し、さらに第２の反射面４２Ａで反射した後の三次反射波を受信する領域の境界は、電波Ｆ１が第２の反射面４２Ａで反射した後（反射波Ｆ２）第１の反射面４１Ａで反射し（反射波Ｆ３）、さらに第２の反射面４２Ａの端部４２ａで反射した後の反射波Ｆ４の伝播方向を示す線ｆ４と平行であり、第２の反射面４２Ａの接続部４０Ａを通る線ｆ５である。すなわち、第１の反射面４１Ａと第２の反射面４２Ａそれぞれで反射した後の二次反射波を受信する領域は、ｙの座標値が、反射波Ａ３の伝播方向を示す線ａ３および反射波Ｂ３の伝播方向を示す線ｂ３より小さく、線ｅ５および線ｆ５より大きく、ｘの座標値が、ａ１より小さく、線ｂ１より大きい領域Ｒ１である。
したがって、図９に示す反射部材４０を使用する場合、二次反射波を受信し、一次反射を受信しない領域は、領域Ｑ１と領域Ｒ１が重なっている領域Ｗ１である。領域Ｗ１は、線ａ１、ａ２、ａ３、ｂ１、ｂ２、ｂ３、ｅ５、ｆ５で囲まれている。
なお、図９に示す線ａ３は、［１８式］で表される。
【数１８】
0004933977.tif 000019
Ｘ１は、線ａ３がｙ軸と交わる点のｙ軸の座標値。                  ［１８式］
線ｂ３は、［１９式］で表される。
【数１９】
0004933977.tif 000020
Ｘ２は、線ｂ３がｙ軸と交わる点のｙ軸の座標値。                  ［１９式］
線ｅ５は、［２０式］で表される。
【数２０】
0004933977.tif 000021
［２０式］
線ｆ５は、［２１式］で表される。
【数２１】
0004933977.tif 000022
［２１式］
線ａ１、ａ２、ｂ１、ｂ２を表す式は、前述したとおりである。
【００３３】
以上のようにして定めた領域Ｗ１にアンテナ３０を配置することにより、ｙ軸に平行に伝播する電波（少なくとも一つの方向に伝播する電波）が第１の反射面４１Ａと第２の反射面４２Ａそれぞれで反射した後の二次反射波を受信し、第１の反射面４１Ａあるいは第２の反射面４２Ａで反射した後の一次反射波を受信しないようにアンテナを配置することができる。
例えば、図１０に示すようにアンテナ３０を配置する。この場合、伝播経路ｂ１に沿って伝播する電波Ｒ１（直接波）は、第１の反射面４１Ａあるいは第２の反射面４２Ａで反射することなくアンテナ３０で受信される。また、伝播経路ａ１に沿って伝播する電波ｒ２（直接波）は、第１の反射面４１Ａで反射した後一次反射波Ｒ２ａとして伝播する。そして、一次反射波Ｒ２ａは、第２の反射面４２Ａで反射した後二次反射波Ｒ２ｂとして伝播し、アンテナ３０で受信される。２回の反射による位相差は３６０°であるため、アンテナ３０で受信した直接波Ｒ１と二次反射波Ｒ２ｂを合成した合成波の波高値は、アンテナ３０で受信した直接波Ｒ１と二次反射波Ｒ２ｂの伝播距離差に依存する。
【００３４】
ここで、アンテナ３０で受信する直接波と二次反射波の伝播経路を図１２により説明する。図１２では、アンテナ３０は、直接波Ｒ１と、直接波Ｒ２が第１の反射面４１Ａと第２の反射面４２Ａそれぞれで反射した後の二次反射波Ｒ２(3)を受信する。また、図１２では、接続角度θが［９０°＜θ＜１８０°］の範囲内に設定され、角度θ１およびθ２が、［０°＜θ１＜９０°］、［０°＜θ２＜９０°］の範囲内に設定されている。
いま、ｙ軸に平行に伝播する電波Ｒ１、Ｒ２は同じ伝播経路を伝播してくるものとし、アンテナ３０の中心点をｚ０（ｘ０，ｙ０）、電波Ｒ２が伝播する伝播経路上の、点ｚ０とｙ座標が同じである点をｚ１（ｘ１，ｙ０）、第１の反射面４１Ａ上の反射点をｚ２（ｘ１，ｙ２）、第２の反射面４２Ａ上の反射点をｚ３（ｘ３，ｙ３）とする。
この場合、アンテナ３０で受信する直接波Ｒ１と二次反射波Ｒ２(3)の伝播距離差は、点ｚ１と点ｚ２の間の伝播経路１の伝播距離１、点ｚ２とｚ３の間の伝播経路２の伝播距離２、点ｚ２と点ｚ０の間の伝播経路３の伝播距離３の和である。なお、図7で説明したように、伝播経路１の傾きは［−ｔａｎ（２・θ１−９０°）］であり、伝播経路３の傾きは［−ｔａｎ（９０°−θ４）＝−ｔａｎ（２・θ１＋２・θ２−２７０°）］である。
伝播経路１〜伝播経路３の伝播距離１〜伝播距離３は、点ｚ０〜ｚ３の座標を用いて以下のように表される。
【数２２】
0004933977.tif 000023
アンテナで合成する合成波の波高値を高めるには、直接波と二次反射波の伝播距離差（直接波と二次反射波の位相差）を「０」にするのが好ましいが、本実施の形態では、アンテナで二次反射波を受信するように構成しているため、直接波と二次反射波の伝播距離差（伝播経路１〜３の伝播距離１〜３の和）（直接波と二次反射波の位相差）を「０」にすることができない。
そこで、アンテナで合成される合成波の波高値を適切な範囲内とすることができる有効伝播距離差について検討する。
【００３５】
位相差△θを有する２つの電波を合成した合成波は、以下のように表される。
【数２３】
0004933977.tif 000024
この合成波の波高値は、
【数２４】
0004933977.tif 000025
で表される。
一般的に、有効限界は、［−３ｄｂ］（＝１／２）を基準に設定される。本実施の形態では、合成波の波高値が、直接波の波高値の最大値から最大値の半分（１／２）の半分（１／２）低下した値に近い値であって、三角関数で扱い易い値、
【数２５】
0004933977.tif 000026
に低下する条件を有効限界として設定している。
すなわち、
【数２６】
0004933977.tif 000027
を満足する位相差△θを有効限界位相差△ｓとしている。この場合、有効限界位相差△θｓは、９０°である。
なお、伝播距離は、電波の波長λを用いて、以下の式により位相角（ラジアン）で表すことができる。
【数２７】
0004933977.tif 000028
したがって、有効限界位相差△θｓを用いて、以下の式により有効伝播距離差を表すことができる。
【数２８】
0004933977.tif 000029
すなわち、９０°の有効限界位相差△θｓは、（λ／４）の有効電波距離差に対応する。
以上のことから、アンテナ３０で受信する直接波と二次反射波の位相差が９０°以内となるように［−９０°≦位相差≦９０°］、あるいは、アンテナで受信する直接波と二次反射の伝播距離差が（λ／４）以内、すなわち、
【数２９】
0004933977.tif 000030
となるように、アンテナ３０を配置することにより、アンテナで合成する合成波の波高値を適切な範囲内とすることができる。
【００３６】
以上では、アンテナ３０で電波を受信する受信アンテナとして用いた場合について説明したが、本実施の形態のアンテナ３は、電波を送信する送信アンテナとして用いることもできる。
以下に、アンテナ３０から電波を送信する場合について、図１３により説明する。
アンテナ３０の後方に、１８０度以下の接続角度で接続されている第１の反射面４１Ａと第２の反射面４２Ａを有する反射部材４０に配置することにより、アンテナ３０から送信された電波が第１の反射面と第２の反射面それぞれで反射した後の二次反射波のうちの少なくとも一つの二次反射波の伝播方向を、アンテナから送信される電波の伝播方向の少なくとも一つの方向と平行に設定することができる。
例えば、図１３に示されているように、アンテナ３０から送信された電波Ｓ２が、第２の反射面４２Ａに入射し、一次反射波Ｓ２ａとして伝播する。そして、一次反射波Ｓ２ａが、第１の反射面４１Ａに入射し、二次反射波Ｓ２ｂとしてｙ軸に平行な方向に伝播する。この場合、アンテナ３０に対してｙ軸方向に存在する受信部材（例えば、非接触型情報読取装置８０アンテナ８４）はアンテナ３０から送信された電波のうちｙ軸方向に伝播する電波Ｓ１（直接波）と、電波Ｓ２が第１の反射面４１Ａと第２の反射面４２Ａそれぞれで反射した後ｙ軸方向に伝播する二次反射波Ｓ２ｂを受信し、受信した直接波Ｓ１と二次反射波Ｓ２ｂを合成する。二次反射波の反射により位相差は３６０°であるため、合成波の波高値は、直接波Ｓ１のみを受信する時より高くなる。したがって、通信可能距離が長くなる。
【００３７】
ここで、アンテナ３０が反射部材４０に対して図１７に示されているように配置されている場合を考える。図１７では、アンテナ３０から第１の反射面４１Ａに直角に引いた線（垂線）が第１の反射面４１Ａと交差し、また、アンテナ３０から第２の反射面４２Ａに直角に引いた線（垂線）が第２の反射面４２Ａと交差するように、アンテナ３０が反射部材４０に対して配置されている。
このような配置状態でアンテナ３０から電波が送信されると、アンテナ３０から送信される電波のうち、第１の反射面４１Ａに直角な方向に平行に伝播する電波Ｔ２が第１の反射面４１Ａで反射する。この時、電波Ｔ２は、第１の反射面４１Ａに対して直角（入射角度＝０°）に入射するため、反射波（一次反射波）は、第１の反射面４１Ａに直角な方向、すなわち、アンテナ３０の方向に伝播する。アンテナ３０から送信される電波のうち、第２の反射面４２Ａに直角な方向に平行に伝播する電波Ｔ３についても同様に、一次反射波が、第２の反射面４２Ａに直角な方向、すなわち、アンテナ３０の方向に伝播する。前述したように、一次反射波は、反射による位相差が１８０°である。このため、アンテナ３０から送信される電波Ｔ１の波高値が、第１の反射面４１Ａあるいは第２の反射面４２Ａで反射した後の一次反射波によって小さくなり、通信可能距離が短くなる。
【００３８】
そこで、本実施の形態では、図１３に示すように、アンテナ３０から第１の反射面４１Ａあるいは第２の反射面４２Ａに直角に引いた線（垂線）が第１の反射面４１Ａあるいは第２の反射面４２Ａと交差しないようにアンテナ３０を配置している。
すなわち、アンテナ３０から送信された電波が第１の反射面４１Ａあるいは第２の反射面４２Ａで反射した後の一次反射波がアンテナ３０の方向に伝播しない領域にアンテナ３０を配置している。アンテナ３０から送信された電波が第１の反射面４１Ａあるいは第２の反射面４２Ａで反射した後の一次反射波がアンテナ３０の方向に伝播しない領域は、アンテナ３０から送信された電波が第１の反射面４１Ａで反射した後の一次反射波がアンテナ３０の方向に伝播しない領域と、アンテナ３０から送信された電波が第２の反射面４２Ａで反射した後の一次反射波がアンテナ３０の方向に伝播しない領域を有している。アンテナ３０から送信された電波が第１の反射面４１Ａで反射した後の一次反射波がアンテナ３０の方向に伝播しない領域の境界は、第１の反射面４１Ａの端部４１ａから、第１の反射面４１Ａに直角に引いた線ｇ１によって決定される。また、アンテナ３０から送信された電波が第２の反射面４２Ａで反射した後の一次反射波がアンテナ３０の方向に伝播しない領域の境界は、第２の反射面４２Ａの端部４２ａから、第２の反射面４２Ａに直角に引いた線ｈ１によって決定される。すなわち、アンテナ３０から送信された電波が第１の反射面４１Ａあるいは第２の反射面４２Ａで反射した後の一次反射波がアンテナ３０の方向に伝播しない領域は、ｙの座標値が、線ｇおよび線ｈ１より高い領域Ｖ１である。
このように、アンテナ３０から送信された電波が第１の反射面４１Ａあるいは第２の反射面４２Ａで反射した後の一次反射波がアンテナ３０の方向に伝播しない領域にアンテナ３０を配置した場合、非接触型情報記憶装置から、少なくとも一つの方向に平行に直接波と二次反射波が伝播する。例えば、図１３に示すように、アンテナ３０から送信された電波の一部Ｓ１は、ｙ軸の方向に平行に伝播する。また、アンテナ３０から送信された電波のうちの一部Ｓ２は、第２の反射面４２Ａと第１の反射面４１Ａそれぞれで反射された後に二次反射波Ｓ２ｂとしてｙ軸の方向に平行に伝播する。
【００３９】
本実施の形態のアンテナ３０を受信アンテナおよび送信アンテナとして用いる場合の、アンテナ３０の反射部材４０に対する配置領域について図１４〜図１６を用いて説明する。図１４〜図１６では、アンテナ３０で電波を受信する際に、アンテナ３０が一次反射波を受信しないで二次反射波を受信し、アンテナ３０から電波を送信する際に、一次反射波を受信しない領域にアンテナ３０を配置している。すなわち、アンテナ３０が電波を受信する際に、アンテナ３０が一次反射波を受信しない領域と、アンテナ３０が二次反射波を受信する領域と、アンテナ３０が電波を送信する際に、アンテナ３０が一次反射波を受信しない領域が重なった領域にアンテナを配置している。
図１４では、接続角度θが、［９０°＜θ＜１８０°］の範囲内に設定され、角度θ１およびθ２が、［０°＜θ１＜９０°］、［０°＜θ２＜９０°］の範囲内に設定されている。図１５では、接続角度θが９０°に設定され、角度θ１およびθ２が４５°に設定されている。図１６では、接続角度θが、［０°＜θ＜９０°］の範囲内に設定されている。
【００４０】
図１４に示す反射部材４０を使用してアンテナ３０で電波を受信する場合には、前述したように、第１の反射面４１Ａあるいは第２の反射面４２Ａで反射した後の一次反射波を受信しない領域は、ｙの座標値が、反射波Ａ２の伝播方向を示す線ａ２および反射波Ｂ２の伝播方向を示す線ｂ２より大きく、ｘの座標値が、線ａ１より小さく、線ｂ１より大きい領域Ｑ１である。また、第１の反射面４１Ａと第２の反射面４２Ａそれぞれで反射した後の二次反射波を受信する領域は、ｙの座標値が、反射波Ｐ２の伝播方向を示す線ｐ２より小さく、ｘの座標値が、線ｂ１より大きい領域Ｒ１と、ｙの座標値が、反射波Ｐ３の伝播方向を示す線ｐ３より小さく、ｘの座標値が、線ａ１より小さい領域Ｒ２である。
一方、図１４に示す反射部材４０を使用してアンテナ３０から電波を送信する場合、アンテナ３０から送信された電波が第１の反射面４１Ａあるいは第２の反射面４２Ａで反射した後の一次反射波がアンテナ３０の方向に伝播しない領域は、第１の反射面４１Ａの端部４１ａから、第１の反射面４１Ａに直角に引いたい線ｇ１と、第１の反射面４１Ａの接続部４０Ａから、第１の反射面４１Ａに直角に引いた線ｇ２と、第２の反射面４２Ａの端部４２ａから、第２の反射面４２Ａに直角に引いた線ｈ１と、第１の反射面４１Ａと第２の反射面４２Ａの配置領域を示す線ａ１、ｂ１によって決定される。すなわち、アンテナ３０から送信された電波が第１の反射面４１Ａあるいは第２の反射面４２Ａで反射した後の一次反射波がアンテナ３０の方向に伝播しない領域は、ｙの座標値が、線ｇ１および線ｈ１より高い領域Ｖ１と、ｙの座標値が、線ｇ２より小さく、線ｈ１より大きく、ｘの座標値が、線ｂより大きい領域Ｖ２である。
したがって、図１４に示す反射部材４０を使用する場合、受信時に、一次反射波を受信しないで、二次反射波を受信し、送信時に、一次反射波を受信しない領域は、領域Ｑ１と領域Ｒ１と領域Ｖ２が重なっている領域Ｗ１である。領域Ｗ１は、線ａ２、ｂ１、ｇ２、ｈ１で囲まれている。
【００４１】
図１５に示す反射部材４０を使用してアンテナ３０で電波を受信する場合には、前述したように、第１の反射面４１Ａあるいは第２の反射面４２Ａで反射した後の一次反射波を受信しない領域は、ｙの座標値が、反射波Ｂ２の伝播方向を示す線ｂ２より大きく、ｘの座標値が、線ａ１より小さく、線ｂ１より大きい領域Ｑ１である。また、第１の反射面４１Ａと第２の反射面４２Ａそれぞれで反射した後の二次反射波を受信する領域は、ｙの座標値が、反射波Ａ２の伝播方向を示す線ａ２より大きく、ｘの座標値が、線ａ１より小さく、反射波Ａ３の伝播方向を示す線ａ３より大きい領域Ｒ１である。
一方、図１５に示す反射部材４０を使用してアンテナ３０から電波を送信する場合、アンテナ３０から送信された電波が第１の反射面４１Ａあるいは第２の反射面４２Ａで反射した後の一次反射波がアンテナ３０の方向に伝播しない領域は、第１の反射面４１Ａの端部４１ａから、第１の反射面４１Ａに直角に引いた線ｇ１と、第２の反射面４２Ａの端部４２ａから、第２の反射面４２Ａに直角に引いた線ｈ１と、第１の反射面４１Ａと第２の反射面４２Ａの配置領域を示す線ａ１、ｂ１によって決定される。すなわち、アンテナ３０から送信された電波が第１の反射面４１Ａあるいは第２の反射面４２Ａで反射した後の一次反射波がアンテナ３０の方向に伝播しない領域は、ｙの座標値が、線ｇ１および線ｈ１より高い領域Ｖ１Ｖ２である。
したがって、図１５に示す反射部材４０を使用する場合、受信時に、一次反射波を受信しないで、二次反射波を受信し、送信時に、一次反射波を受信しない領域は、領域Ｑ１と領域Ｒ１と領域Ｖ１が重なっている領域Ｗ１である。領域Ｗ１は、線ａ３、ｇ１、ｈ１で囲まれている。
【００４２】
図１６に示す反射部材４０を使用してアンテナ３０で電波を受信する場合には、前述したように、第１の反射面４１Ａあるいは第２の反射面４２Ａで反射した後の一次反射波を受信しない領域は、ｙの座標値が、反射波Ａ２の伝播方向を示す線ａ２および反射波Ｂ２の伝播方向を示す線ｂ２より大きく、ｘの座標値が、線ａ１より小さく、線ｂ１より大きい領域Ｑ１である。また、第１の反射面４１Ａと第２の反射面４２Ａそれぞれで反射した後の二次反射波を受信する領域は、ｙの座標値が、反射波Ａ３の伝播方向を示す線ａ３および反射波Ｂ３の伝播方向を示す線ｂ３より小さく、線ｅ５および線ｆ５より大きく、ｘの座標値が、ａ１より小さく、線ｂ１より大きい領域Ｒ１である。
一方、図１６に示す反射部材４０を使用してアンテナ３０から電波を送信する場合、アンテナ３０から送信された電波が第１の反射面４１Ａあるいは第２の反射面４２Ａで反射した後の一次反射波がアンテナ３０の方向に伝播しない領域は、第１の反射面４１Ａの端部４１ａから、第１の反射面４１Ａに直角に引いたい線ｇ１と、第２の反射面４２Ａの端部４２ａから、第２の反射面４２Ａに直角に引いた線ｈ１と、第１の反射面４１Ａと第２の反射面４２Ａの配置領域を示す線ａ１、ｂ１によって決定される。すなわち、アンテナ３０から送信された電波が第１の反射面４１Ａあるいは第２の反射面４２Ａで反射した後の一次反射波がアンテナ３０の方向に伝播しない領域は、ｙの座標値が、線ｇ１および線ｈ１より高い領域Ｖ１である。
したがって、図１６に示す反射部材４０を使用する場合、受信時に、一次反射波を受信しないで、二次反射波を受信し、送信時に、一次反射波を受信しない領域は、領域Ｑ１と領域Ｒ１と領域Ｖ１が重なっている領域Ｗ１である。領域Ｗ１は、線ｂ１、ｂ３、ｇ１、ｈ１で囲まれている。
【００４３】
以上では、非接触型情報読取装置から送信された、送信要求情報を含む電波（情報を書き込む場合には、非接触型情報書込装置から送信された、書き込み要求情報を含む電波）を受信し、また、記憶回路に書き込まれている情報を含む電波を送信する、アンテナと反射部材により構成されるアンテナ装置を有する非接触型情報記憶装置について説明したが、本発明は、アンテナと反射部材により構成されるアンテナ装置として構成することもできる。
例えば、電波を送信および受信するアンテナ装置（送受信用のアンテナ装置）として構成することができる。この場合には、電波の受信時には、送信部材（例えば、送信側アンテナ）から送信された電波が、アンテナに対して少なくとも一つの方向に伝播する時に、直接波と、第１の反射面と第２の反射面それぞれで反射した後の二次反射波がアンテナで受信され、電波の送信時には、アンテナから送信された電波が第１の反射面と第２の反射面の一方で反射した後の一次反射波をアンテナで受信せず、また、アンテナから送信された電波が第１の反射面と第２の反射面それぞれで反射した後の二次反射波の伝播方向が、アンテナから送信された電波の伝播方向のうちの少なくとも一つの伝播方向と同じになるように構成する。なお、電波の受信時には、アンテナで合成される合成波の波高値が適切な範囲内となるように構成すればよいが、アンテナが、直接波と二次反射波を受信し、一次反射波を受信しないように（最適には、奇数次反射波を受信しないように）構成するのが好ましい。また、電波の送信時には、アンテナに対して少なくとも一つの方向に位置する受信部材（例えば、受信アンテナ）で合成される合成波の波高値が適切な範囲内となるように構成すればよいが、アンテナに対して少なくとも一つの方向に位置する受信部材が、アンテナから送信された電波（直接波）と二次反射波を受信し、一次反射波（最適には、奇数次反射波）を受信しないように構成するのが好ましい。
あるいは、電波を受信するアンテナ装置（受信用のアンテナ装置）として構成することができる。この場合には、送信部材（例えば、送信側アンテナ）から送信された電波が、アンテナに対して少なくとも一つの方向に伝播する時に、直接波と、第１の反射面と第２の反射面それぞれで反射した後の二次反射波がアンテナで受信されるように構成する。なお、アンテナで合成される合成波の波高値が適切な範囲内となるように構成すればよいが、アンテナが、直接波と二次反射波を受信し、一次反射波を受信しないように（最適には、奇数次反射波を受信しないように）構成するのが好ましい。
あるいは、電波を送信するアンテナ装置（送信用のアンテナ装置）として構成することができる。この場合には、アンテナから送信された電波が第１の反射面と第２の反射面の一方で反射した後の一次反射波をアンテナで受信せず、また、アンテナから送信された電波が第１の反射面と第２の反射面それぞれで反射した後の二次反射波の伝播方向が、アンテナから送信された電波の伝播方向のうちの少なくとも一つの伝播方向と同じになるように構成する。なお、アンテナに対して少なくとも一つの方向に位置する受信部材（例えば、受信アンテナ）で合成される合成波の波高値が適切な範囲内となるように構成すればよいが、アンテナに対して少なくとも一つの方向に位置する受信部材が、アンテナから送信された電波（直接波）と二次反射波を受信し、一次反射波（最適には、奇数次反射波）を受信しないように構成するのが好ましい。
なお、前述した、アンテナ（あるいは受信部材）で合成される合成波の波高値の低下を防止するための、アンテナと反射部材との間の距離を設定する手法も適宜組み合わせて用いることができる。
このように構成されたアンテナ装置は、送信回路や受信回路等の種々の回路に接続される。
【００４４】
本発明は、実施の形態で説明した構成に限定されない、
非接触型ＩＣタグ１０に反射部材４０を取り付けて本発明の非接触型情報記憶装置を構成したが、本発明の非接触型情報記憶装置を構成する方法はこれに限定されない。例えば、別体に形成されている処理回路、記憶回路、送受信回路、アンテナ、反射部材を組み付けて構成することもできる。
本発明の非接触型情報記憶装置で用いるアンテナとしては、種々の構成や形状のアンテナを用いることができる。
本発明の非接触型情報紀記憶装置で用いる電波は、適宜の帯域の周波数を有する電波を用いることができる。
本発明の非接触型情報記憶装置に用いる反射部材の形状や構成は、適宜変更可能である。例えば、第１の反射面や第２の反射面の形状や大きさ、第１の反射面と第２の反射面の接続角度は適宜変更可能である。
実施の形態で説明した各領域（例えば、受信時に一次反射波を受信しない領域、受信時に二次反射を受信する領域、受信時に三次反射波を受信する領域、送信時に一次反射を受信しない領域等）や各領域の境界を示す線を表す式等、第1の反射面４１Ａと第２の反射面４２Ａの形状や接続角度θ（あるいは、θ１とθ２）、少なくとも一つの伝播方向等の種々の条件によって決定される。
実施の形態で説明した各構成は、単独で用いることもできるし、適宜選択した複数の構成を組み合わせて用いることもできる。
反射部材に対するアンテナの配置状態（配置位置や配置角度等）は、電波を受信する時には、アンテナに対して少なくとも一つの方向に平行に電波が伝播する場合にアンテナで直接波と二次反射を受信することができ、電波を送信する時には、アンテナに対して少なくとも一つの方向に平行に直接波と二次反射波が伝播すればよい。勿論、反射部材に対してアンテナが配置された状態で、アンテナに対して複数の方向に平行に電波が伝播する場合にアンテナで直接波と二次反射波を受信してもよいし、また、アンテナに対して複数の方向に平行に直接波と二次反射波が伝播してもよい。
アンテナに対して少なくとも一つの方向に電波が伝播する場合に、一次反射波を受信しないで、直接反射波と二次反射波を受信するようにアンテナを反射部材に対して配置する配置態様を用いたが、アンテナを反射部材に対して配置する配置態様としては、アンテナで合成される合成波の波高値を適切な範囲内（例えば、直接波の波高値の約７０％以上）に設定することができればこの配置態様に限定されない。例えば、一次反射波等の他の反射波の受信を許容する配置態様を用いてもよいし、直接波と一次反射波や二次反射波との伝播距離差（アンテナと反射部材との間の距離）と一次反射波の受信を適切に組み合わせる配置態様を用いてもよい。
【図面の簡単な説明】
【００４５】
【図１】非接触型ＩＣタグと非接触型情報読取装置の一例を示す図である。
【図２】本発明の非接触型情報記憶装置の一実施の形態の概略構成を示す図である。
【図３】［接続角度θ＞９０°］の状態で、アンテナが一次反射波を受信しない領域の一例を説明する図である。
【図４】［接続角度θ＝９０°］の状態で、アンテナが一次反射波を受信しない領域の一例を説明する図である。
【図５】［接続角度θ＜９０°］の状態で、アンテナが一次反射波を受信しない領域の一例を説明する図である。
【図６】アンテナが二次反射波を受信する領域を説明する図である。
【図７】［接続角度θ＞９０°］の状態で、アンテナが二次反射波を受信し、一次反射波を受信しない領域の一例を説明する図である。
【図８】［接続角度θ＝９０°］の状態で、アンテナが二次反射波を受信し、一次反射波を受信しない領域の一例を説明する図である。
【図９】［接続角度θ＜９０°］の状態で、アンテナが二次反射波を受信し、一次反射波を受信しない領域の一例を説明する図である。
【図１０】アンテナが直接波と二次反射波を受信する状態を説明する図である。
【図１１】直接波と二次反射波を合成した合成波の波高値を示す図である。
【図１２】アンテナで受信する直接波と二次反射波の伝播経路を説明する図である。
【図１３】送信時に、アンテナが一次反射波を受信しない領域を説明する図である。
【図１４】［接続角度θ＞９０°］の状態で、受信時にアンテナが一次反射波を受信しないで二次反射波を受信し、送信時にアンテナが一次反射波を受信しない領域の一例を説明する図である。
【図１５】［接続角度θ＝９０°］の状態で、受信時にアンテナが一次反射波を受信しないで二次反射波を受信し、送信時にアンテナが一次反射波を受信しない領域の一例を説明する図である。
【図１６】［接続角度θ＜９０°］の状態で、受信時にアンテナが一次反射波を受信しないで二次反射波を受信し、送信時にアンテナが一時反射波を受信しない領域の一例を説明する図である。
【図１７】送信時に、アンテナが一次反射波を受信する状態を説明する図である。
【図１８】アンテナから送信された電波と二次反射波の伝播経路を説明する図である。
【図１９】アンテナが直接波と一次反射波を受信する状態を説明する図である。
【図２０】直接波と一次反射波を合成した合成波の波高値を示す図である。
【符号の説明】
【００４６】
１０  非接触型ＩＣタグ
２０  ＩＣチップ
２１、８１  処理回路（ＣＰＵ）
２２、８２  記憶回路
２３、８３  送受信回路
３０、８４  アンテナ
３０ａ、３０ｂ  アンテナの長さ方向の端部
４０  反射部材
４０Ａ  接続部
４０ａ、４０ｂ  接続部の長さ方向の端部
４１  第１の反射部材
４１Ａ  第１の反射面
４１ａ  第１の反射面の端部
４２  第２の反射部材
４２Ａ  第２の反射面
４２ａ  第２の反射面の端部
８０  非接触型情報読取装置
【図１】
0004933977.tif 000031
【図２】
0004933977.tif 000032
【図３】
0004933977.tif 000033
【図４】
0004933977.tif 000034
【図５】
0004933977.tif 000035
【図６】
0004933977.tif 000036
【図７】
0004933977.tif 000037
【図８】
0004933977.tif 000038
【図９】
0004933977.tif 000039
【図１０】
0004933977.tif 000040
【図１１】
0004933977.tif 000041
【図１２】
0004933977.tif 000042
【図１３】
0004933977.tif 000043
【図１４】
0004933977.tif 000044
【図１５】
0004933977.tif 000045
【図１６】
0004933977.tif 000046
【図１７】
0004933977.tif 000047
【図１８】
0004933977.tif 000048
【図１９】
0004933977.tif 000049
【図２０】
0004933977.tif 000050